(57)【要約】【課題】洗髪後のコンディショニング性又は洗浄後の皮膚保護性に優れた透明洗浄剤組成物を提供する。【解決手段】洗浄剤組成物中に、アニオン性界面活性剤及び／又は両性界面活性剤の１種または２種以上を１０〜４０重量％、モノオレイン酸グリセリルを０．２〜５．０重量％、及びポリオキシプロピレングリセリルエーテルを含有する。アニオン性界面活性剤としてはアルキルエーテル硫酸エステル塩などを、両性界面活性剤としてはアミノ酢酸ベタイン型両性界面活性剤などを使用できる。また、さらにカチオン性高分子化合物を配合する。【選択図】なし【特許請求の範囲】
【請求項１】
アニオン性界面活性剤及び／又は両性界面活性剤の１種または２種以上を１０〜４０重量％、モノオレイン酸グリセリルを０．２〜５．０重量％、及びポリオキシプロピレングリセリルエーテルを含有することを特徴とする透明洗浄剤組成物。
【請求項２】
ポリオキシプロピレングリセリルエーテルの含有量が０．１〜２．０重量％であることを特徴とする請求項１に記載の透明洗浄剤組成物。
【請求項３】
さらに、カチオン性高分子化合物を配合することを特徴とする請求項１又は２に記載の透明洗浄剤組成物。
【発明の詳細な説明】
【技術分野】
【０００１】
本発明は、洗髪後のコンディショニング効果又は洗浄後の皮膚保護効果に優れた透明洗浄剤組成物に関する。
【背景技術】
【０００２】
従来、外観的差別性を付与する試みのひとつとして、透明な洗浄剤組成物が検討されている。例えば特開平１１−１７２２９６号公報（特許文献１参照）には陰イオン性界面活性剤等の界面活性剤と易水溶性アクリル・メタクリル酸アルキル共重合体を組み合わせた技術、特開２００３−５５６９０号公報（特許文献２参照）にはＮ−アシルアミノ酸塩とセルロース系天然高分子誘導体とエチレンオキサイドの付加モル数が１０〜３０のポリオキシエチレンソルビタン脂肪酸エステル等の非イオン性界面活性剤を組み合わせた技術が報告されている。これらの透明洗浄剤組成物はいずれも界面活性剤に水溶性の成分を配合することで透明製剤を確保しているものの、水溶性の成分はすすぎ時に洗い流されてしまい、洗髪後のコンディショニング効果及び洗浄後の皮膚保護効果に満足のいくものではなかった。また、例えば特表２００２−５３６３１１号公報（特許文献３参照）にはアニオン性界面活性剤、両性界面活性剤、特定の水不溶性カルボン酸エステルを組み合わせた技術が報告されている。この技術においてはパルミチン酸イソプロピルやミリスチン酸イソプロピル等の様々な水不溶性カルボン酸エステルとの組み合わせが報告されているが、必ずしも洗髪後のコンディショニング効果及び洗浄後の皮膚保護効果に満足のいくものではなかった。
【０００３】
【特許文献１】特開平１１−１７２２９６号公報
【特許文献２】特開２００３−５５６９０号公報
【特許文献３】特表２００２−５３６３１１号公報
【発明の開示】
【発明が解決しようとする課題】
【０００４】
本発明の目的は、かかる事情に鑑みてなされたものであり、洗髪後のコンディショニング性又は洗浄後の皮膚保護効果に優れた透明洗浄剤組成物を提供するものである。
【課題を解決するための手段】
【０００５】
本発明者らは、上記課題を解決すべく鋭意検討を重ねた結果、アニオン性界面活性剤及び／又は両性界面活性剤の１種または２種以上を１０〜４０重量％、モノオレイン酸グリセリルを０．２〜５．０重量％、及びポリオキシプロピレングリセリルエーテルを配合することにより、目的とする透明洗浄剤組成物が得られることを見出し、本発明を完成させるに至った。
【発明の効果】
【０００６】
本発明の透明洗浄剤組成物は透明性を維持しつつ、洗髪後のコンディショニング効果又は洗浄後の皮膚保護効果に優れている。
【発明を実施するための最良の形態】
【０００７】
本発明で用いるアニオン性界面活性剤は特に限定されないが、例えば、アルキル硫酸塩、アルキルエーテル硫酸エステル塩、アルキルエーテルスルホコハク酸塩、Ｎ−アシルアミノ酸塩、アルケニルコハク酸糖エステル塩が挙げられる。アルキル硫酸塩としてはラウリル硫酸マグネシウム、アルキル（Ｃ１１，Ｃ１３，Ｃ１５）硫酸トリエタノールアミン、アルキル（Ｃ１２〜１４）硫酸トリエタノールアミン、オレイル硫酸ナトリウム、ミリスチル硫酸ナトリウム等が挙げられ、中でもラウリル硫酸ナトリウム、ラウリル硫酸トリエタノールアミンが好ましい。アルキルエーテル硫酸エステル塩としては、ポリオキシエチレンラウリルエーテル硫酸アンモニウム、ポリオキシエチレンアルキル（Ｃ１１，Ｃ１３，Ｃ１５）エーテル硫酸ナトリウム、ポリオキシエチレンアルキル（Ｃ１２〜１４）エーテル硫酸トリエタノールアミン等が挙げられ、中でもポリオキシエチレンラウリルエーテル硫酸ナトリウムが好ましい。アルキルエーテルスルホコハク酸塩としてはラウリルスルホコハク酸ナトリウム、ポリオキシエチレンラウリルスルホコハク酸ナトリウム等が挙げられ、中でもポリオキシエチレンラウリルスルホコハク酸マグネシウムが好ましい。Ｎ−アシルアミノ酸塩としてはラウロイルサルコシンナトリウム、Ｎ−ラウロイルメチル−β−アラニンナトリウム等が挙げられ、中でもＮ−ラウロイルグルタミン酸ナトリウムが好ましい。アルケニルコハク酸糖エステル塩としてはオクテニルコハク酸ソルビットエステルトリエタノールアミン、オクテニルコハク酸デキストリンエステルナトリウム等が挙げられ、中でもオクテニルコハク酸デキストリンエステルトリエタノールアミンが好ましい。
【０００８】
本発明で用いる両性界面活性剤は特に限定されないが、例えば、グリシン型両性界面活性剤やアミノ酢酸ベタイン型両性界面活性剤が挙げられる。グリシン型両性界面活性剤としては、２−アルキル−Ｎ−カルボキシメチル−Ｎ−ヒドロキシエチルイミダゾリニウムベタイン、ヤシ油脂肪酸アシル−Ｎ−カルボキシエチル−Ｎ−ヒドロキシエチルエチレンジアミン二ナトリウム、ヤシ油脂肪酸アシル−Ｎ−カルボキシエトキシエチル−Ｎ−カルボキシエチルエチレンジアミン二ナトリウム、ヤシ油脂肪酸アシル−Ｎ−カルボキシメトキシエチル−Ｎ−カルボキシメチルエチレンジアミン二ナトリウム、ウンデシル−Ｎ−ヒドロキシエチル−Ｎ−カルボキシメチルイミダゾリニウムベタイン、ウンデシルヒドロキシエチルイミダゾリニウムベタインナトリウム、塩化アルキルジアミノエチルグリシン、ラウリルジアミノエチルグリシンナトリウム等が挙げられ、中でも２−アルキル−Ｎ−カルボキシメチル−Ｎ−ヒドロキシエチルイミダゾリニウムベタインが好ましい。アミノ酢酸ベタイン型両性界面活性剤としては、ラウリルジメチルアミノ酢酸ベタイン、ヤシ油アルキルベタイン（ヤシ油アルキルジメチルアミノ酢酸ベタイン）、ステアリルジメチルアミノ酢酸ベタイン、ステアリルジメチルベタインナトリウム、ヤシ油脂肪酸アミドプロピルベタイン、パーム油脂肪酸アミドプロピルベタイン、ラウリン酸アミドプロピル酢酸ベタイン、リシノレイン酸アミドプロピルベタイン、ステアリルジヒドロキシエチルベタイン等が挙げられ、中でもヤシ油脂肪酸アミドプロピルベタインが好ましい。
【０００９】
これら界面活性剤は、単独または２種以上を任意に組み合わせて用いることができる。配合量は組成物全量に対して、１０〜４０重量％配合することができ、特に１０〜３０重量％が好ましい。配合量が１０重量％に満たないと十分な泡立ちを得ることができず、４０重量％を超えて配合するとゲル化したり、十分なコンディショニング効果又は皮膚保護効果を得ることができない。
【００１０】
本発明で用いるモノオレイン酸グリセリルは、オレイン酸とグリセリンのモノエステルのことであり、その配合量は、組成物全量に対して０．２〜５．０重量％である。そのうち、０．２〜３．０重量％が好ましく、０．３〜２．０重量％がより好ましい。配合量が０．２重量％に満たないと洗髪後のコンディショニング効果又は洗浄後の皮膚保護効果が不十分であり、５．０重量％を超えて配合すると透明洗浄剤組成物の起泡性を悪化させる。
【００１１】
本発明で用いるポリオキシプロピレングリセリルエーテルはグリセリンの３つの水酸基にそれぞれポリオキシプロピレンがブロック共重合したものである。本発明においてポリオキシプロピレングリセリルエーテルにおけるオキシプロピレンの平均付加モル数はグリセリンの各水酸基に対して１〜４が好ましい。その配合量は、特に限定されるものではないが、組成物全量に対して０．１〜２．０重量％が好ましく、特に０．３〜１．５重量％が好ましい。配合量が０．１重量％に満たないと洗髪後のコンディショニング効果又は洗浄後の皮膚保護効果が不十分であり、２．０重量％を越えて配合すると透明洗浄剤組成物の起泡性を悪化させる。
【００１２】
さらに、本発明の洗浄剤組成物においては、カチオン性高分子化合物を配合するとコンディショニング効果を相乗的に向上させることができる。本発明で用いるカチオン性高分子化合物としては、カチオン化セルロース、カチオン化グアガム、カチオン化フェヌグリークガム、カチオン化タラガム、カチオン化ローカストビーンガム等が挙げられる。
【００１３】
これらのカチオン性高分子化合物は、単独あるいは２種以上を混合して用いることができ、その配合量は特に限定されないが、組成物全量に対し０．１〜２．０重量％が好ましい。配合量が０．１重量％に満たないと、相乗的なコンディショニング効果が付与できず、また２．０重量％を超えると起泡性を損なう。
【００１４】
本発明の洗浄剤組成物は、常法により製造することができ、ｐＨ４．０〜１０．５の洗浄剤として通常の利用に供せられる。本発明の洗浄剤組成物は主に皮膚や毛髪に適用され、洗顔剤、クレンジング剤、ボディシャンプー、ヘアシャンプー等として利用される。
【００１５】
また、本発明の洗浄剤組成物には、効果を損なわない範囲で公知の成分を適宜配合することができる。公知の成分としては、ソルビタン脂肪酸エステル、ショ糖脂肪酸エステル、ポリグリセリン脂肪酸エステル、プロピレングリコール脂肪酸エステル、ペンタエリトリトール脂肪酸エステル、高級アルコール酸化エチレン付加物、ポリオキシエチレンアルキルアリルエーテル、ポリオキシエチレンラノリンアルコール、アルキルフェノールホルマリン縮合物の酸化エチレン誘導体、プルロニック型界面活性剤、ポリオキシエチレンアルキルチオエーテル、ポリオキシエチレン脂肪酸エステル、ポリオキシエチレンソルビタン脂肪酸エステル、ポリオキシエチレングリセリンモノ脂肪酸エステル、ポリオキシエチレンプロピレングリコールモノ脂肪酸エステル、ポリオキシエチレンソルビトール脂肪酸エステル、ポリオキシエチレンヒマシ油、硬化ヒマシ油誘導体、ポリオキシエチレンラノリン誘導体、脂肪族アルキル基を含むブロックポリマー、ポリオキシエチレン脂肪酸アミド、ポリオキシエチレンアルキルアミン、アルカノールアミド、アルキルアミンオキシド、アルキルポリグルコシドに代表されるノニオン性界面活性剤、塩化アルキルトリメチルアンモニウム、塩化ジアルキルジメチルアンモニウム、脂肪酸アミドアミン塩、エチル硫酸ラノリン脂肪酸アミノプロピルエチルジメチルアンモニウム、ジココイルエチルヒドロキシエチルモニウムメトサルフェートに代表されるカチオン性界面活性剤が挙げられる。
【００１６】
さらにアボカド油、アルモンド油、オリーブ油、グレープシード油、月見草油、ツバキ油、サザンカ油、マカデミアナッツ油、メドフォーム油、シアバター、卵黄油、馬脂等の油脂類、ホホバ油、カルナウバロウ、キャンデリラロウ、ラノリン、ミツロウ等のロウ類、オゾケライト、流動パラフィン、スクワレン、ワセリン等の炭化水素類、イソステアリルアルコール、オクチルドデカノール、ラノリンアルコール、フィトステロール、セタノール、オレイルアルコール等の高級アルコール類、ミリスチン酸イソプロピル、オレイン酸エチル、ステアリン酸オクチル、２−エチルヘキサン酸セチル、イソノナン酸イソノニル、パルミチン酸オクチル、ジオレイン酸エチレングリコール、トリイソステアリン酸グリセリル、乳酸セチル、アジピン酸ジイソプロピル、イソステアリン酸コレステリル等のエステル油類等、プロピレングリコール、ジプロピレングリコール、ポリプロピレングリコール、ポリエチレングリコール、グリセリン、ジグリセリン、イソプレングリコール、１，３−ブチレングリコール等の多価アルコール、エチルアルコール、イソプロパノール等の低級アルコール、キサンタンガム、グアガム、デンプン等の天然高分子及びその誘導体、ヒドロキシプロピルメチルセルロース、ヒドロキシエチルセルロース、メチルセルロース等のセルロール系高分子、カルボキシビニルポリマーやポリビニルピロリドン等の合成高分子等、カオリン、無水ケイ酸、ケイ酸アルミニウムマグネシウム、タルク、マイカ、セルロース末、シルク末、デンプン、ポリエチレン末、ナイロン末、防腐剤、金属イオン封鎖剤、噴射剤、無機塩、有機酸及びその塩、ピロリドンカルボン酸及びその塩、ヒアルロン酸及びその塩、ソルビトールやマルチトールやトレハロース等の糖類、トリメチルグリシン等の保湿剤、塩化ベンザルコニウム、塩化ベンゼトニウム、イソプロピルメチルフェノール、ピロクトンオラミン、クララエキス、ジンクピリチオン、ヒノキチオール等の殺菌剤、その他、センブリエキス、塩化カプロニウム、セファランチン、サリチル酸、イノシット、ヨウ化ニンニクエキス、レゾルシン、エストラジオール、エチニルエストラジオール、オキセンドロン、パントテン酸及びその誘導体、プラセンタエキス、ビオチン、モノニトログアヤコール、感光素３０１、ウシヘマチン、グリチルリチン酸ジカリウム、塩酸ピリドキシン、冷感剤、温感剤、動植物抽出物、ビタミン、紫外線吸収剤、アミノ酸及びその誘導体、タンパク質及びその誘導体、酸化防止剤、着色剤、香料等である。
【実施例】
【００１７】
つぎに、実施例および比較例を挙げて本発明をさらに詳しく説明するが、言うまでもなく本発明はこれらに限定されるものではない。なお、特にことわらない場合、［％］は［重量％］を示す。
【００１８】
［実施例１〜１７および比較例１〜５］
下記のヘアシャンプー基本処方により、表１及び２に示す組成にて、常法によりヘアシャンプーを調製した（ｐＨ６）。調製した各ヘアシャンプーについて、外観の透明性と専門パネルによる泡立ち、洗髪後のコンディショニング効果を評価した。
【００１９】
ヘアシャンプー基本処方
成分                                配合量（重量％）
モノオレイン酸グリセリル                      表１又は２記載
ポリオキシプロピレングリセリルエーテル        表１又は２記載
アニオン性及び両性界面活性剤                  表１又は２記載
カチオン性高分子化合物                        表１又は２記載
ジオレイン酸グリセリル                        表１又は２記載
ヤシ油脂肪酸ジエタノールアミド                  ２．０
プロピレングリコール                            ３．０
塩化ナトリウム                                  ０．５
クエン酸                                          適量
安息香酸ナトリウム                                微量
メチルパラベン                                    微量
香料                                            ０．５
水                                                残部
合計                                １００．０
【００２０】
（評価方法）
（１）：外観の透明性  表１又は２記載のヘアシャンプーを、各々１００ｍｌガラス瓶にとり、温度２５℃の恒温槽に１時間放置後、目視にて観察し、以下の評価基準で評価した。
○：透明
×：微濁〜濁
（２）：泡立ち、洗髪後のコンディショニング効果  専門パネルにより、表１〜３に示す組成のヘアシャンプーを用いて、泡立ち、乾燥後のコンディショニング効果を以下の基準により評価した。
◎：非常によい
○：良い
×：悪い
（３）総合評価：外観の透明性、泡立ち、洗髪後のコンディショニング効果の総合評価を以下の基準により評価した。
◎：◎を２つ以上含む(但し、×を含まない)
○：○を３つ  または  ○を２つ及び◎をひとつ  含む
×：×をひとつでも含む
【００２１】
【表１】
2007131687.tif 000002
【００２２】
【表２】
2007131687.tif 000003
【００２３】
表１及び２の結果が示すように、本発明の各実施例のヘアシャンプーは、各比較例に比べて、外観の透明性、泡立ち、洗髪後のコンディショニング効果に優れたものであった。
【００２４】
［実施例１８］  ヘアシャンプー
成分                                    配合量（重量％）
モノオレイン酸グリセリル                              ０．８
ポリオキシプロピレングリセリルエーテル                ０．６
ＰＯＥ（２）ラウリルエーテル硫酸Ｎａ（６９重量％）  １７．４
ヤシ油脂肪酸アミドプロピルベタイン（３２重量％）      ８．０
ヤシ油脂肪酸ジエタノールアミド                        ２．０
カチオン化セルロース                                  ０．５
濃グリセリン                                          ５．０
クエン酸                                              適量
メチルパラベン                                        ０．３
安息香酸ナトリウム                                    ０．５
ｌ−メントール                                        １．０
香料                                                  ０．５
水                                                    残部
合計                                      １００．０
【００２５】
常法によりヘアシャンプーを製造した（ｐＨ６）。実施例１８のヘアシャンプーは透明の外観を有し、泡立ち、洗髪後のコンディショニング性に優れたものであった。
【００２６】
［実施例１９］  液状ボディシャンプー
成分                                    配合量（重量％）
モノオレイン酸グリセリル                              ０．５
ポリオキシプロピレングリセリルエーテル                ０．５
ラウリン酸                                          １５．０
ミリスチン酸                                          ５．０
水酸化カリウム                                        適量
ヤシ油脂肪酸ジエタノールアミド                        ２．０
ヤシ油脂肪酸アミドプロピルベタイン（３２重量％）      ４．５
ＰＯＥ（３）ラウリルエーテル                          ５．０
プロピレングリコール                                  ５．０
メチルパラベン                                        ０．１
エデト酸二ナトリウム                                  ０．１
香料                                                  ０．５
水                                                    残部
合計                                      １００．０
【００２７】
常法により液状ボディシャンプーを製造した（ｐＨ９．５）。実施例１９の液状ボディシャンプーは、透明の外観を有し、泡立ち、洗浄後の皮膚の保護性に優れたものであった。